(57)【要約】【課題】分別回収を、単に広報活動や指導によるのではなく、利益をもたらすようにし、あるいは、面白さや達成感を生じさせるようにし、より具体的に促進する。【解決手段】商品の製造又は販売業者が、分別回収すべき２以上の素材を用いてなる商品の包装体に、その素材の２以上の部分についてトレーディングスタンプを設ける。このトレーディングスタンプを収集し、これに応じて寄付を行なう。包装体からトレーディングスタンプを取り出す作業をすることにより、自然に、分別が促される。【選択図】  図３
2004271832.tif 000002
【特許請求の範囲】
【請求項１】
商品の製造又は販売業者が、分別回収すべき２以上の素材を用いてなる商品の包装体に、トレーディングスタンプを設けるトレーディングスタンプ設置行為と、
個人又は団体が、使用済みの前記包装体から前記トレーディングスタンプを取り出し、収集すると共に、包装体を分別回収するトレーディングスタンプ収集行為と、
このトレーディングスタンプ収集行為により収集したトレーディングスタンプに応じて、前記商品の製造又は販売業者が、収集を行った個人又は団体、あるいは他の団体等に金品を寄付する寄付行為
からなる環境保護のための使用済み包装体の分別回収促進システム。
【請求項２】
商品の製造又は販売業者が、分別回収すべき２以上の素材を用いてなる商品の包装体に、その素材の２以上の部分についてトレーディングスタンプを設けるトレーディングスタンプ設置行為と、
個人又は団体が、使用済みの前記包装体から前記トレーディングスタンプの取り出し、収集すると共に、包装体を分別回収するトレーディングスタンプ収集行為と、
このトレーディングスタンプ収集行為により収集したトレーディングスタンプに応じて、前記商品の製造又は販売業者が、収集を行った個人又は団体、あるいは他の団体等に金品を寄付する寄付行為
からなる環境保護のための使用済み包装体の分別回収促進システム。
【請求項３】
請求項２においてさらに、
トレーディングスタンプ設置行為において、包装体の２以上のトレーディングスタンプが、２以上あるいは全部を集めることにより色、文字、図形、形状等が統一された集合形態を形成するよう構成されており、
トレーディングスタンプ収集行為において、トレーディングスタンプ収集時に前記集合形態を形成し、
寄付行為において、収集したトレーディングスタンプの前記集合形態に対して、通常より多くの金品を対応付けて寄付することとした
環境保護のための使用済み包装体の分別回収促進システム。
【請求項４】
分別回収すべき２以上の素材を用いてなる商品の包装体に、その素材の２以上の部分についてトレーディングスタンプを設け、かつこの２以上のトレーディングスタンプが、２以上あるいは全部を集めることにより色、文字、図形、形状等が統一された集合形態を形成するよう構成されている環境保護のための使用済み包装体の分別回収促進用トレーディングスタンプ。
【発明の詳細な説明】
【０００１】
【発明の属する技術分野】
本発明は、環境保護のため使用済み包装体を分別回収する際、この分別を促進するためのシステム及びこのシステムに適するトレーディングスタンプに関する。
【０００２】
【従来の技術】
環境保護のため使用済み包装体を回収することが広く行なわれている。この際、最も重要なのは、その素材に応じて正しく分別することである。また、包装体の中に中身が残っていたり、異物が混入していることを防止することである。このような注意は、従来は、もっぱら広報活動や指導によっており、他の手段は全くないのが実情であった。
【０００３】
本発明は、トレーディングスタンプを使用するものであるが、従来のトレーディングスタンプは、単に、商品から取り出して集め、この量に応じて寄付を受けるというものであり、上記分別回収等の観点とは全く無縁のものである。
【０００４】
トレーディングスタンプ自体についても、従来は、もっぱらトレーディングスタンプの取り出しやすさを向上させる等の技術（例えば特許文献１）に集中し、本発明のような分別回収との関連は全く知られていない。
【０００５】
【特許文献１】
特開平６−３０８８８６号公報
【０００６】
【発明が解決しようとする課題】
そこで、本発明は、上記分別回収等の注意を、単に広報活動によるのではなく、具体的な利益・特典をもたらすようにし、あるいは、面白さや達成感を生じさせるようにし、より具体的に促進することを目的としたものである。
【０００７】
【課題を解決するための手段】
すなわち本発明は、商品の製造又は販売業者が、分別回収すべき２以上の素材を用いてなる商品の包装体に、トレーディングスタンプを設けるトレーディングスタンプ設置行為と、個人又は団体が、使用済みの前記包装体から前記トレーディングスタンプを取り出し、収集すると共に、包装体を分別回収するトレーディングスタンプ収集行為と、このトレーディングスタンプ収集行為により収集したトレーディングスタンプに応じて、前記商品の製造又は販売業者が、収集を行った個人又は団体、あるいは他の団体等に金品を寄付する寄付行為からなる環境保護のための使用済み包装体の分別回収促進システムである。
【０００８】
このシステムによれば、トレーディングスタンプを取り出す作業をすると、自動的にその素材の部分を分離することになり分別が促進される。また、中身が残っていたり、異物が混入していると取り出し作業がしにくいので、当然に、中身や異物を排除するようになる。
【０００９】
上記促進作用は、トレーディングスタンプを一箇所に設けただけでも得られるが、２以上の素材の各素材部分に設けておくと、著しく効果的となる。
【００１０】
したがって、本発明は、上記システムにおいて、分別回収すべき２以上の素材を用いてなる商品の包装体に、その素材の２以上の部分についてトレーディングスタンプを設けるトレーディングスタンプ設置行為を有するものとすることが、極めて望ましい。
【００１１】
また、本発明は、上記のように、２以上の部分についてトレーディングスタンプを設ける場合において、トレーディングスタンプ設置行為において、包装体の２以上のトレーディングスタンプが、２以上あるいは全部を集めることにより色、文字、図形、形状等が統一された集合形態を形成するよう構成されており、トレーディングスタンプ収集行為において、トレーディングスタンプ収集時に前記集合形態を形成し、寄付行為において、収集したトレーディングスタンプの前記集合形態に対して、通常より多くの金品を対応付けて寄付することとした環境保護のための使用済み包装体の分別回収促進システムを包含する。
【００１２】
この集合形態の態様には、例えばそれぞれ色の異なるトレーディングスタンプを集合させて色の組を形成するもの、ジグソーパズルのように、文字、図形、形状等が断片となったトレーディングスタンプを集合させてまとまった形態を形成するもの等がある。
【００１３】
この構成によれば、トレーディングスタンプを集める行為が、より面白くかつ達成感のあるものとなり、分別はより効果的に促進される。
【００１４】
なお本発明は、上記構成のトレーディングスタンプそれ自体も包含するものである。
【００１５】
本発明では、トレーディングスタンプ収集行為により収集したトレーディングスタンプに応じて、前記商品の製造又は販売業者が、収集を行った個人又は団体、あるいは他の団体等に金品を寄付する寄付行為を有する。この収集活動は、個人で行なうようにしても良いが、通常は地域等の団体で各メンバーが集めたものをまとめるようにすることが中心となるであろう。寄付は、回収した個人又は団体に提供される他、他の団体等、例えば、地域団体の回収に対して、その地域の学校等に提供するようにしてもよい。その寄付は、金銭だけでなく、その他の物品でもよく、例えば、この活動の協賛・協力企業の商品を寄付するものでもよい。また、この活動を主催する団体に、活動費として、一部の寄付を義務づけることも可能である。
【００１６】
【実施例】
以下、本発明に係る包装体及びトレーディングスタンプを、図示する実施例について具体的に説明する。
【００１７】
図１に第１実施例の包装体１０を示す。この包装体１０は、ティッシュペーパー用のものであって、紙製包装箱１１の孔部１２にプラスチック製シート１３を貼付してなる。このシート１３には、トレーディングスタンプ１４が、孔部１２から一部が見えるように印刷して設けられている。
【００１８】
この包装体１０からトレーディングスタンプを取り出すと、紙製包装箱１１とプラスチック製シート１３を分離する操作をすることになり、これにより両者を分別することが促される。
【００１９】
このように、２種類の素材が接着されている包装体は、窓付き封筒、窓付き包装箱等に多く見られ、上記例のように、その素材の一方を剥がしてトレーディングスタンプを取り出すようにする構造は有効である。
【００２０】
図２に第２実施例の包装体２０を示す。この包装体２０は、乳酸飲料用のものであって、プラスチック製ボトル２１に金属シート製蓋２２を設けてなる。これらのボトル２１と蓋２２の両方にトレーディングスタンプ２３，２４が印刷して設けられている。さらに、トレーディングスタンプ２３，２４は、それぞれ凸型、凹型に形成され、収集時に両者を並べて台紙（図示しない）に貼ると正方形になるようになっている。
【００２１】
この包装体２０からトレーディングスタンプ２３，２４を取り出すと、プラスチック製ボトル２１と金属シート製蓋２２を分離する操作をすることになり、これにより両者を分別することが促される。また、この操作をするに当たり、自然にボトル２１を洗うことになり、中身が残っていたり、異物が入っていたりすることが防止される。さらに、自然にトレーディングスタンプ２３，２４を組にして集めることが促され、これにより面白さ、達成感が得られることになり、上記分別等はより強く促進される。
【００２２】
このように、トレーディングスタンプを取り出すことにより、中身が残っていたり、異物が入っていたりすることを防止する作用は、ペットボトル、瓶詰め、缶詰、牛乳パック、トレー入り肉、魚等のパック等において有効に得られる。
【００２３】
図３に第３実施例の包装体３０を示す。この包装体３０は、クッキー等の菓子用のものであって、紙製箱３１にプラスチック製トレー３２を入れ、紙製蓋３３を設けてなる。さらに、蓋３３には窓３４が設けられ、ここにプラスチック製シート３５が貼付されている。トレー３２、蓋３３、シート３５にトレーディングスタンプ３６，３７，３８がそれぞれ印刷して設けられている。さらに、トレーディングスタンプ３６，３７，３８には、文字の一部が印刷され、収集時に３枚を並べて台紙（図示しない）に貼るとエコロジーの頭文字「ｅ」が形成されるようになっている。
【００２４】
この包装体３０からトレーディングスタンプ３６，３７，３８を取り出すと、プラスチック製トレー３２、紙製蓋３３、プラスチック製シート３５を分離する操作をすることになり、これにより３者を分別することが促される。また、トレーディングスタンプ３６，３７，３８を組にして集めることが促され、これにより面白さ、達成感が得られることになり、上記分別はより強く促進される。
【００２５】
【発明の効果】
本発明の環境保護のための使用済み包装体の分別回収促進システムでは、上述のように、トレーディングスタンプを取り出す操作をすることにより、自然に分別が促され、さらに、ボトル等の中身が残っていたり、異物が入っていたりすることが防止される、したがって、分別回収が効率的に行なわれるようになる。
【００２６】
さらに、トレーディングスタンプを２以上の素材のうち、２以上の部分に設けておくと、分別はより一層促進される。
【００２７】
また、包装体の２以上のトレーディングスタンプが、２以上あるいは全部を集めることにより色、文字、図形、形状等が統一された集合形態を形成するよう構成されていると、トレーディングスタンプを集める行為が、より面白くかつ達成感のあるものとなり、分別はより効果的に促進される。しかも、収集したトレーディングスタンプの前記集合形態に対して、通常より多くの金品を対応付けて寄付することとすると、分別はさらに促進されることになる。
【図面の簡単な説明】
【図１】本発明に係る包装体及びトレーディングスタンプの第１実施例を示す説明図である。
【図２】同第２実施例を示す説明図である。
【図３】同第３実施例を示す説明図である。
【符号の説明】
１０      包装体
１１      紙製包装箱
１２      孔部
１３      プラスチック製シート
１４      トレーディングスタンプ
２０      包装体
２１      プラスチック製ボトル
２２      金属シート製蓋
２３      トレーディングスタンプ
２４      トレーディングスタンプ
３０      包装体
３１      紙製箱
３２      プラスチック製トレー
３３      蓋
３４      窓
３５      プラスチック製シート
３６      トレーディングスタンプ
３７      トレーディングスタンプ
３８      トレーディングスタンプ
【図１】
2004271832.tif 000003
【図２】
2004271832.tif 000004
【図３】
2004271832.tif 000005